(57)【要約】【課題】本来オモリが降下するべき方向である鉛直方向と、オモリの軸線との角度差（オモリ角度）が、常に０度付近に復元するような復元モーメントを発生する形状を備える船釣り用オモリ並びに安定化部材を提供する。【解決手段】船釣り用オモリ１０の軸線Ｃに対して平行であって、互いに直角な２つの投影面において、船釣り用オモリ１０の重心Ｇより上部の投影面積の一次モーメントＭＵと、重心より下部の投影面積の一次モーメントＭＤの比をｋ＝ＭＵ／ＭＤとした場合に、２．３≦ｋ≦５．０を満たすオモリ形状を備えた。【選択図】    図１
2004290096.tif 000002
【特許請求の範囲】
【請求項１】
船釣り用オモリの軸線に対して平行であって、互いに直角な２つの投影面において、
船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たす形状を有する船釣り用オモリ。
【請求項２】
船釣り用オモリの軸線に対して平行であって、互いに直角な２つの投影面において、
船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、
船釣り用オモリの上部を羽形状に構成したことを特徴とする船釣り用オモリ。
【請求項３】
船釣り用オモリの軸線に対して平行であって、互いに直角な２つの投影面において、
船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、
船釣り用オモリの下部にはオモリ部材を備え、前記オモリ部材とは別体の安定化部材を船釣り用オモリの上部に設けたことを特徴とする船釣り用オモリ。
【請求項４】
前記オモリ部材と安定化部材とは、ねじ若しくはピン等の結合部材によって結合されているか、又は螺合若しくは勘合によって結合されていることを特徴とする請求項３に記載の船釣り用オモリ。
【請求項５】
船釣り用オモリの軸線に対して平行であって、互いに直角な２つの投影面において、
船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、
船釣り用オモリの下部にはオモリ部材を備え、前記オモリ部材とは別体の安定化部材が軸材を介して接続されていることを特徴とする船釣り用オモリ。
【請求項６】
オモリに装着するオモリ用安定化部材であって、
オモリに装着する装着部を備え、
オモリの落下方向とオモリの軸線とが傾いた際に揚力又は抗力を発生する形状を有することを特徴とする安定化部材。
【発明の詳細な説明】
【０００１】
【発明の属する技術分野】
本発明は、船釣り用オモリ並びに安定化部材に関する。
【０００２】
【従来の技術】
従来から、鋼材を鍛造により成形した鋼成形品であって、他端部に丸頭部を有し、前記丸頭部の首根部での円形断面の直径を、一端部に向かって、徐々に径小に構成した流線型の形状を有し、前記一端部から前記他端部側への軸心方向に、前記一端部の近傍部位の外面と一体的に、且つ対向して鍛造成形された対称な一対の回転防止翼を有することを特徴とする魚釣り用鋼鍛造製錘が知られている（特許文献１の請求項２参照。）。
【０００３】
下記の特許文献１に記載の魚釣り用鋼鍛造製錘によれば、回転防止翼の働きによって、釣り人が投げ入れたいと思う目標の位置に向かって方向安定性よく滑空できることや、釣り糸の捩れを防止することが可能である旨の記載がなされている。（特許文献１参照。）。
【０００４】
また従来から、釣りに用いる胴突き錘において、下部に扁平面を形成し、該扁平面を軸線に対し内傾斜して形成し、下端部を曲面状に形成することを特徴とするオモリが知られている（特許文献２参照。）。
【０００５】
下記の特許文献２に記載の胴突き錘では、胴突き錘の下端部を曲面状に形成することによって、沈降の際の水の流れがスムーズになり、大なる沈降速度を得ることができ、漁獲効率の向上に資する効果がある旨の効果が記載がされている。（例えば、特許文献２参照。）。
【０００６】
また、従来から、胴突き型、ＢＲ型、六角型、ナス型等、各種の形状を有するオモリが販売されている。
【０００７】
【特許文献１】
特開平１１−２８９９３９号公報（請求項２、第１−３ページ、第１図）
【特許文献２】
特開２００２−２２３６８５号公報  （第１−３ページ、第１図）
【０００８】
【発明が解決しようとする課題】
特許文献１に記載の魚釣り用鋼鍛造製錘では、回転防止翼の働きによって、釣り人が投げ入れたいと思う目標の位置に向かって方向安定性よく滑空できること（特許文献１の段落番号［００１９］、［００２３］の記載参照）や、釣り糸の捩れを防止することが可能である旨の記載がある。
【０００９】
ところが、特許文献１に記載の魚釣り用鋼鍛造製錘では、翼が一平面内にしか存在しないために、オモリが水中を降下する際に（特に翼の面と平行に）大きく蛇行するので、オモリの走行距離が長くなるという不具合を生ずる。また、翼と平行な面内でオモリが傾きやすいことによりオモリの抗力が増大し、オモリを短時間に所定の深度まで降下させることができないという不具合を生じる。
【００１０】
特許文献２に記載の胴突き錘によれば、胴突き錘の下端部を曲面状に形成することによって、沈降の際の水の流れがスムーズになり、いわゆる剥離現象がなく渦流の発生がない（段落番号［００１３］の記載参照）旨の記載がされている。このため、胴突き錘の上端部に負圧が生ぜず、水の抵抗が小となるので、大なる沈降速度を得ることができ、オモリが早く沈降する。これにより、漁獲効率の向上に資する効果がある旨の記載がされている。
【００１１】
ところが、特許文献▲２▼に記載の胴突き錘では、オモリが水中を降下する際にオモリが蛇行するために、オモリの走行距離が長くなったり、オモリが傾くことにより生じるオモリの抗力の増大により、オモリを短時間に所定の深度まで降下させることができないという不具合を生じていた。
【００１２】
また、従来から販売されている胴突き型、ＢＲ型、六角型、ナス型、ＡＳ型、各種の形状を有するオモリを実際の漁に使用すると、オモリを水中に投下した後に所定の深度に到達するまでの時間が異なることは、経験的に知られていた。
【００１３】
そこで、各種のオモリを水中に投下した後の、オモリ降下時の瞬間速度と経過時間との関係を、現在市販されている１５０号（０．５６３ｋｇ）の胴突き型、ＢＲ型、六角型、ナス型、ＡＳ型の各種のオモリについて実験した。その結果のうち、胴突き型とＡＳ型についての「経過時間−瞬間速度線図」を、図１５及び図１６に示す。
【００１４】
なお、オモリの降下実験は、次の方法で実施した。
電動リールに、通常使用するテグスより太めの、１０号のテグス（直径０．５ｍｍ）を装填し、テグスの端部に撚り戻しを介してオモリを取り付けた。
テグスには、５０（ｃｍ）を１単位として４８（ｃｍ）毎に長さ２（ｃｍ）の黒い印を入れた。
テグスは光センサーを通過するようにし、黒い印が光センサーを通過する際の信号を収集した。実験は、オモリが海面に着水した状態を実験開始位置として、電動リールのストッパーを外してオモリを自然落下させ、９０（ｍ）のテグスが繰り出すまでの時間と信号を時間を計測したものである。
前述のように、通常使用するテグスよりも太めのテグスを用いた理由は、テグスの繰り出し量を計測する光センサーが検出可能な「黒い印」の幅に基づくものである。本実験では通常よりも太いテグスを用いているため、通常の細いテグスを用いた場合よりも、テグス表面の水の抵抗により、オモリの降下時間は多めにかかっているものと考えられる。
【００１５】
結果は、胴突き型、ＢＲ型、六角型、ナス型、ＡＳ型の全てのオモリにおいて、水中に投入直後からの経過時間のうち最初の数秒間はオモリの瞬間速度の変動が大きく、また、平均の降下速度もさほど高くないという不具合が発生していることが判明した。
【００１６】
オモリの深度が深くなるにつれて、水中を走行する糸の長さが増すので、オモリと糸を含む抵抗が増大し、オモリの降下速度が低下するのはある程度やむを得ないことであるが、糸の降下抵抗が少ない浅い範囲でのオモリの降下速度は、もっと速くすることが可能であると推測される。
【００１７】
例えば図１５に示されるように、胴突き型のオモリを水中に投入した後、０．５秒ほどで最大瞬間速度（約３７０ｃｍ／ｓ）に達し、その後急激に瞬間速度が低下し、その後瞬間速度の増減を繰り返しているしている事実について考察した。
【００１８】
胴突き型のオモリは、オモリの降下方向と本来オモリが降下するべき方向であるオモリの軸線との角度差（以降「オモリ角度」という。）に応じて水の抵抗（抗力）が大きく変化する可能性がある。したがって、何らかの要因によりオモリの降下姿勢が急激に変化することによってオモリ角度が大きくなり、オモリの抗力が急激に増大しているために、オモリの瞬間速度が急激に減少したり、瞬間速度の増減を繰り返しているものと推測した。
【００１９】
そこで次に、現在市販されている１５０号（０．５６３ｋｇ）の胴突き型、ＢＲ型、六角型、ナス型、ＡＳ型の各種の形状を有するオモリについて流体解析（シミュレーション）を行って、オモリ角度と抗力、揚力、重心周りのモーメントについて調査した。その結果のうち、胴突き型及びＡＳ型についての「オモリ角度−抗力、揚力、重心周りのモーメント線図及び流体解析結果図」を、図１７及び図１８に示す。なお、抗力は、一般的なオモリの降下速度とみられる４（ｍ／ｓ）の際の抗力（Ｎ）を算出している。
【００２０】
胴突き型、ＢＲ型、六角型、ナス型、ＡＳ型の各種の形状のオモリについての流体解析を実施した結果、オモリ角度が０度から微小角増大した場合には、重心周りのモーメントが正の値（オモリの傾きを助長する方向に回転モーメントが働く）を示していることが判明した。
【００２１】
そして、この重心周りのモーメントは、最も良好な値を示したＡＳ型のオモリであっても、オモリ角度が４５度以上にならないと復元力が生じない（重心周りのモーメントが負の値にならない）ことも判明した。
【００２２】
このことはすなわち、復元性が最も良好なＡＳ型のオモリであっても、４５度のオモリ角度を有した姿勢を基本に水中を降下してゆく可能性が高いことを意味している。
【００２３】
また、ＡＳ型のオモリは、重心周りのモーメントが０となるオモリ角度での抗力が、約７（Ｎ）と、他の胴突き型、ＢＲ型、六角型、ナス型の各型に比べて最も少ない抗力を示している。
【００２４】
更に、所定の深度まで到達する時間が、胴突き型、ＢＲ型、六角型、ナス型、ＡＳ型の各種の形状を有するオモリの中で最も短い（２７．３秒）という実験結果が得られているということは、互いの結果について整合性が取れており、双方とも信頼できる結果であることを示している。
【００２５】
また、図１７及び図１８に示す流体解析の結果によれば、重心周りのモーメントが０になるオモリ角度の付近（図１７に示す例では約８２度付近）では、オモリにはオモリ角度の増加に応じて揚力（降下方向に対して横向きの横力）が発生している。
【００２６】
したがって、降下中のオモリにオモリ角度が発生すると、オモリが蛇行することが予測される。このようにオモリの降下時に蛇行が発生すると、オモリの走行距離が著しく長くなるために、所定の深度に到着するまでの時間が長くなるという不具合が発生することが予測される。
【００２７】
そこで本発明は、上記従来の状況に鑑み、本来オモリが降下するべき方向である鉛直方向と、オモリの軸線との角度差（オモリ角度）が、常に０度付近に復元するような復元モーメントを発生する形状、又は構造を備える船釣り用オモリ並びに安定化部材を提供することを目的としている。
【００２８】
また本発明は、抗力の少ない姿勢で安定して水中を降下する船釣り用オモリ並びに安定化部材を提供することを目的としている。
【００２９】
また本発明は、オモリが水中を降下する際の姿勢を安定させて蛇行を防ぐことによって、オモリの走行距離を短くし、短時間に所定の深度まで降下させることが可能な船釣り用オモリ並びに安定化部材を提供することを目的としている。
【００３０】
また本発明は、オモリが水中を降下する際の落下姿勢を抗力の小さい向きに安定させることによって、短時間に所定の深度まで降下させることが可能な船釣り用オモリ並びに安定化部材を提供することを目的としている。
【００３１】
また本発明は、潮流に流されにくく、狙った場所に降下させ易い船釣り用オモリ並びに安定化部材を提供することを目的としている。
また本発明は、漁獲効率を向上させることが可能な船釣り用オモリ並びに安定化部材を提供することを目的としている。
【００３２】
一方、従来から行われてきた船釣り用オモリの開発設計工程では，オモリの設計者の勘や経験に基づいて船釣り用オモリの形状を決定していた。そして、更にその設計者が考えた船釣り用オモリの形状に基づいて、流体解析並びに数多くの実験を行うといった試行錯誤によって最終的な船釣り用オモリの形状を決定するという手法で設計作業が進められていた。そのために、船釣り用オモリの形状を最終的に決定するまでに、多大な時間と労力が必要となるという不具合を生じていた。
【００３３】
本発明は、船釣り用オモリの形状設計を行う際に、船釣り用オモリの重心より上部の投影面積の一次モーメントＭＵと、重心より下部の投影面積の一次モーメントＭＤの比をｋ＝ＭＵ／ＭＤとした場合に、ｋの値が所定の範囲に入るような設計を行うことによって、比較的短時間で最適なオモリの形状設計が可能なオモリの設計方法を提供することを目的としている。
【００３４】
【課題を解決するための手段】
上記課題を解決するために、本発明の請求項１に係る船釣り用オモリは、船釣り用オモリの軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たす形状を有することを特徴としている。
【００３５】
本発明によれば船釣り用オモリを、軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たす形状としたので、オモリの降下時において、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【００３６】
また本発明によれば、船釣り用オモリの重心より上部の投影面積の一次モーメントＭＵと、重心より下部の投影面積の一次モーメントＭＤの比をｋ＝ＭＵ／ＭＤとした場合に、ｋの値が所定の範囲に入るように船釣り用オモリの形状設計を行うようにしたので、比較的短時間で適切なオモリの形状設計が可能となる。
【００３７】
また上記課題を解決するために、本発明の請求項２に係る船釣り用オモリは、船釣り用オモリの軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの上部を羽形状に構成したことを特徴としている。
【００３８】
本発明によれば船釣り用オモリを、軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの上部を羽形状に構成したので、オモリの全長を短くすることが可能であるとともにオモリの降下時において、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【００３９】
また上記課題を解決するために、本発明の請求項３に係る船釣り用オモリは、船釣り用オモリの軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの下部にはオモリ部材を備え、前記オモリ部材とは別体の安定化部材を船釣り用オモリの上部に設けたことを特徴としている。
【００４０】
本発明によれば船釣り用オモリを、軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの下部にはオモリ部材を備え、前記オモリ部材とは別体の安定化部材を船釣り用オモリの上部に設けたので、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【００４１】
また、請求項４に記載の発明によれば、請求項３に記載のオモリ部材と安定化部材とを、ねじ若しくはピン等の結合部材によって結合、又は螺合若しくは勘合によって結合するようにしたので、オモリ部材と安定化部材とを容易かつ確実に結合することが可能となる。
【００４２】
また上記課題を解決するために、本発明の請求項５に係る船釣り用オモリは、軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの下部にはオモリ部材を備え、前記オモリ部材とは別体の安定化部材を軸材を介して接続したことを特徴としている。
【００４３】
本発明によれば船釣り用オモリを、軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの下部にはオモリ部材を備え、前記オモリ部材とは別体の安定化部材を軸材を介して接続するようにしたので、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【００４４】
また上記課題を解決するために、本発明の請求項６に係るオモリ用安定化部材はオモリに装着する装着部を備え、オモリの落下方向とオモリの軸線とが傾いた際に揚力又は抗力を発生する形状を有することを特徴としている。
【００４５】
本発明によれば安定化部材に、オモリに装着する装着部を備え、オモリの落下方向とオモリの軸線とが傾いた際に揚力又は抗力を発生する形状を備えたので、オモリに安定化部材を装着して水中を降下させる際に、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【００４６】
【発明の実施の形態】
以下、本発明について詳細に説明する。
【００４７】
図１（ａ）及び図１（ｂ）は、本発明に係る船釣り用オモリの第１の実施例を示す図である。
図１（ａ）は船釣り用オモリ１０の平面図であり、図１（ｂ）は船釣り用オモリ１０の正面図である。
同図に示すように、船釣り用オモリ１０には、当該オモリをテグス糸と結びつける吊環２０が設けられている。
【００４８】
図１（ｂ）に示すように、当該船釣り用オモリ１０には、本来船釣り用オモリが降下するべき方向と平行な軸線Ｃが存在する。一般に軸線Ｃ上、又はその近傍にはオモリの重心Ｇが存在する。ここで船釣り用オモリ１０の軸線Ｃに平行な方向に存在する投影面を仮定すると、船釣り用オモリ１０の投影面積は下記の式（１）にて表される。
【数１】
ΔＡ＝ＸＺ×ΔＺ…（１）
ΔＡ：重心位置から軸線Ｃに沿って距離Ｚだけ離れた位置の微小投影面積
ＸＺ：微小面積ΔＡの部分における軸線Ｃと直角方向の平均幅
ΔＺ：軸線Ｃと平行な微小幅
【００４９】
次に、重心Ｇより上の部分の船釣り用オモリの投影面積の総和をＡＵとし、そのＡＵの図心の位置をＬＵとすると、船釣り用オモリ１０の復元モーメントＭＵ（重心Ｇより上部の投影面積の一次モーメント）は、以下の式（２）にて表される。
【数２】
2004290096.tif 000003
ＭＵ：復元モーメント（重心Ｇより上部の投影面積の一次モーメント）
ＡＵ：重心Ｇより上部の船釣り用オモリの投影面積の総和
ＬＵ：ＡＵの図心の位置
【００５０】
また同様に、重心Ｇより下の部分の船釣り用オモリの投影面積の総和をＡＤとし、そのＡＤの図心の位置を置ＬＤとすると、船釣り用オモリ１０の回転モーメントＭＤ（重心Ｇより下部の投影面積の一次モーメント）は、以下の式（３）にて表される。
【数３】
2004290096.tif 000004
ＭＤ：回転モーメント（重心Ｇより下部の投影面積の一次モーメント）
ＡＤ：重心Ｇより下部の船釣り用オモリの投影面積の総和
ＬＤ：ＡＤの図心の位置
【００５１】
ここで、回転モーメントＭＤは、船釣り用オモリ１０が水中を降下する際の水流の作用により、船釣り用オモリ１０の軸線Ｃを鉛直方向と異なる方向に回転させる力を発するモーメントである。
【００５２】
逆に、先の復元モーメントＭＵは、船釣り用オモリ１０が水中を降下する際の水流の作用により、船釣り用オモリ１０の軸線Ｃを鉛直方向と同じ方向に戻す力を発するモーメントである。
【００５３】
ここで、復元モーメントＭＵと回転モーメントＭＤの比をｋ＝ＭＵ／ＭＤとする。ｋの値を大きくすることができれば、船釣り用オモリ１０が水中を降下する際に、軸線Ｃが鉛直方向（重力方向）へ復元するモーメントが常に働くことになる。すると、鉛直方向と船釣り用オモリ１０の軸線Ｃとの角度差（オモリ角度）が、常に０度付近に復元する作用が働くので、船釣り用オモリ１０は抗力の少ない姿勢で安定して降下するという効果を奏することになる。
【００５４】
ところが、ｋの値が大きければ大きいほど、全ての性能面において船釣り用オモリとしてのよい結果が得られるかと言うとそうではなく、ｋの値が大きくなりすぎると一般に投影面積自体も大きくなる傾向があるために、船釣り用オモリが水中を降下する際に潮流に流され易くなってしまう。すると、狙った位置に船釣り用オモリが降下しにくくなるという不具合を生ずる。その結果、魚群の存在する位置とは異なる位置に船釣り用オモリ１０が流されて行ってしまうので、漁獲高が減少してしまうと言う不具合を生ずる。
【００５５】
そこで実物において実験を繰り返したところ、船釣り用オモリ１０のｋの値が式（４）を満たす形状を有する場合に、おおむね目的を達成することができることがわかった。
【数４】
２．３≦ｋ≦５．０…（４）
【００５６】
なお、船釣り用オモリ１０が水中を降下する際に、鉛直方向と船釣り用オモリ１０の軸線Ｃとの角度差（オモリ角度）を全ての方向について常に０度付近に復元させて、抗力と揚力とが少ない状態で水中を降下させるためには、船釣り用オモリ１０の軸線Ｃに対して平行であって、互いに直角な任意の２つの投影面において、上式（４）又は式（５）の要件を満たす必要がある。
【００５７】
図２（ａ）及び図２（ｂ）は、本発明に係る船釣り用オモリの第２の実施例を示す図である。
図２（ａ）は船釣り用オモリ１０Ａの平面図であり、図２（ｂ）は船釣り用オモリ１０Ａの正面図である。
【００５８】
同図に示す船釣り用オモリ１０Ａには吊環２０が設けられている。同図に示す例では、船釣り用オモリ１０Ａの上部には羽形状の羽２２Ａが４枚軸線Ｃに対して放射状に構成されている。
【００５９】
この羽２２Ａの働きによって、船釣り用オモリ１０Ａの重心より上部の投影面積の一次モーメントＭＵと、重心より下部の投影面積の一次モーメントＭＤの比をｋ＝ＭＵ／ＭＤとした場合に、ｋ＝２．５となり、船釣り用オモリ１０Ａが水中を降下する際に、鉛直方向と船釣り用オモリ１０Ａの軸線Ｃとの角度差（オモリ角度）を常に０度付近に復元させて、抗力と揚力とが少ない状態で水中を降下させることが可能となる。
【００６０】
また、同図に示す羽２２Ａの構成を用いることによって、軸線Ｃに対して平行であって、互いに直角な任意の２つの投影面において、ｋ≧２．３の要件を効果的に満たすことが可能となる。
【００６１】
なお、同図に示す例では、羽２２Ａを４枚設けた例で説明したが、本発明は羽の枚数を限定しているものではなく、羽の枚数は１枚であっても、その羽を軸線Ｃと平行に曲げる形状とすること等によって、船釣り用オモリの軸線Ｃに対して平行であって、互いに直角な任意の２つの投影面において、２．３≦ｋ≦５．０を満たせば、船釣り用オモリが水中を降下する際に、鉛直方向と船釣り用オモリ１０の軸線Ｃとの角度差（オモリ角度）を全ての方向について常に０度付近に復元させて、抗力と揚力とが少ない状態で水中を降下させることが可能となる。同様に、羽の枚数は２枚であっても、３枚であっても、５以上であっても、スプライン形状であってもよいが、オモリが水中を降下する際に、オモリが蛇行や回転しないようなバランスの取れた形状が好ましい。
【００６２】
一般に船釣り用オモリの素材は、比重の大きな鉛を用いることが多い。鉛は柔らかい素材であるので、船釣り用オモリが細長い形状である場合には、操業時や待機時等にて力が加わった際にオモリ自体が曲がってしまうという不具合を生ずる可能性がある。
【００６３】
ところが、羽２０Ａは体積の割に表面積が大きいので、同図に示すように船釣り用オモリ１０Ａに羽２２Ａを設けることによって、船釣り用オモリ１０Ａを短く形成しつつ、復元力を大きくすることが可能となる。したがって、操業時や待機時等にオモリに力が加わった場合であっても、オモリ自体が曲がってしまうという不具合の発生を減少させることが可能となる。
【００６４】
図３（ａ）及び図３（ｂ）は、本発明に係る船釣り用オモリの第３の実施例であり、ｋ＝３．１の場合を示す図である。
【００６５】
図４（ａ）及び図４（ｂ）は、本発明に係る船釣り用オモリの第４の実施例であり、ｋ＝３．６の場合を示す図である。
【００６６】
図５（ａ）及び図５（ｂ）は、本発明に係る船釣り用オモリの第５の実施例であり、ｋ＝４．０の場合を示す図である。
【００６７】
図６（ａ）及び図６（ｂ）は、本発明に係る船釣り用オモリの第６の実施例である。
【００６８】
同図に示すように、船釣り用オモリ１０Ｅには吊環２０が設けられている。また、船釣り用オモリ１０Ｅには、質量と重力加速度によって水中にて船釣り用オモリ１０Ｅを降下させる力を発生させるためのオモリ部材１２Ｅと、船釣り用オモリ１０Ｅの重心より上部の投影面積の一次モーメントＭＵを大きくさせる機能を有する別体の安定化部材１４Ｅと、オモリ部材１２Ｅと安定化部材１４Ｅとが分離しないように固定、又は装着するピン２４とが設けられている。
【００６９】
同図に示すように安定化部材１４Ｅには、オモリ部材１２Ｅと接触しつつオモリ部材１２Ｅに装着する装着部が設けられている。オモリ部材１２Ｅに装着した安定化部材１４Ｅは、船釣り用オモリ１０Ｅの落下方向と軸線Ｃとが傾いた際に揚力又は抗力を発生する形状を有している。
【００７０】
したがって、船釣り用オモリ１０Ｅが水中を降下する際に、安定化部材１４Ｅにより発生する揚力又は抗力の働きによって、鉛直方向と船釣り用オモリ１０Ｅの軸線Ｃとの角度差（オモリ角度）を常に０度付近に復元させて、船釣り用オモリ１４Ｅ全体の抗力と揚力とが少ない状態を維持して水中を降下させることが可能となる。
【００７１】
同図に示す例では、安定化部材１４Ｅは羽形状を有しており、軸線Ｃに対して４枚の羽が放射状に構成されるようになっている。この安定化部材１４Ｅの働きによって、船釣り用オモリ１０Ｅの重心より上部の投影面積の一次モーメントＭＵと、重心より下部の投影面積の一次モーメントＭＤの比ｋが２．３≦ｋ≦５．０を満たすことが可能となる。
【００７２】
同図に示す例では、安定化部材１４Ｅは羽形状を有しているが、本発明は羽形状に限定されるものではなく、船釣り用オモリ１０Ｅの重心より上部の投影面積の一次モーメントＭＵを増大させる機能を奏する形状であればよく、例えば羽の有無等は関係ない。
【００７３】
また、安定化部材１４Ｅは船釣り用オモリ１０Ｅの上部に設けられているので、オモリ部材１０Ｅよりも比重の小さな物性を有する素材（例えば樹脂、アルミニウムなどの軽金属など）を用いることが好ましい。船釣り用オモリ１０Ｅの重心位置を下げることが可能だからである。
【００７４】
また比重の小さな素材を用いることによって、船釣り用オモリ１０Ｅの全長を短く形成しつつ、復元力を大きくすることが可能となるので、操業性の良好な船釣り用オモリを提供することが可能となる。
【００７５】
また、安定化部材１４Ｅを羽形状にする場合であって、羽が薄く長い場合には、操業時や待機時等にて力が加わった際に羽形状の部分が曲がってしまったり、折れてしまう可能性がある。したがって、あまり薄い形状にしない、あまり軸線Ｃに対して放射状に細長い羽形状にはしない、曲がりにくい素材を選択する、又はゴムなどの曲がっても破損せずに元に戻る素材を選択するなどの配慮を行うとよい。
【００７６】
また、オモリ部材１２Ｅと安定化部材１４Ｅとを別体とすることによって、従来の船釣り用オモリのように、オモリ自体にはオモリ角度０°付近にて復元力がないオモリであっても、後から安定化部材１４Ｅを装着することによって、その従来のオモリに対して復元力を発生させることが可能となる。そして従来のオモリを用いた場合であっても、短時間に所定の深度まで降下せることが可能となる。
【００７７】
また、オモリ部材１２Ｅと安定化部材１４Ｅとが分離しないように固定、又は装着する手法として、図６に示す実施例ではピン２４を用いているが、固定手法はピン２４に限定されるものではなく、螺子等の結合部材を用いて固定するようにしてもよいし、勘合部を設けて固定するようにしてもよいし、螺子部を設けて固定するようにしてもよい。
【００７８】
更に、安定化部材１４Ｅをゴムや柔らかめの樹脂等の弾力性のある素材で構成しておき、オモリ部材１２Ｅに対してサックをかぶせるように構成するとともに、安定化部材１４Ｅの弾力性（復元性）によってオモリ部材１２Ｅと固定、又は、オモリ部材１２Ｅに装着するように構成しても、本発明の目的を達成することが可能となる。
【００７９】
図７（ａ）及び図７（ｂ）は、本発明に係る船釣り用オモリの第７の実施例である。
同図に示すように、船釣り用オモリ１０Ｆには吊環２０が設けられている。また、船釣り用オモリ１０Ｆには、質量と重力加速度によって水中にて船釣り用オモリ１０Ｆを降下させる力を発生させるためのオモリ部材１２Ｆと、船釣り用オモリ１０Ｆの重心より上部の投影面積の一次モーメントＭＵを大きくさせる機能を有する別体の安定化部材１４Ｆと、オモリ部材１２Ｆと安定化部材１４Ｆとが分離しないように結合する螺子２６（結合部材の一形態）並びに勘合部２８が設けられている。
【００８０】
なお同図では、螺子２６及び勘合部２８との両方を備えている実施例で示してあるが、いずれか一方のみを備えた構成であってもよいし、オモリ部材１２Ｆと安定化部材１４Ｆとが分離しないように接着や溶着、鮫歯状の結合部を有する勘合等の方法を用いてもよい。
【００８１】
同図に示す例では、安定化部材１４Ｆは羽形状を有しており、軸線Ｃに対して４枚の羽が放射状に構成されるようになっている。この安定化部材１４Ｆの働きによって、船釣り用オモリ１０Ｆの重心より上部の投影面積の一次モーメントＭＵと、重心より下部の投影面積の一次モーメントＭＤの比ｋが２．３≦ｋ≦５．０を満たすことが可能となる。
【００８２】
そして、船釣り用オモリ１０Ｆが水中を降下する際に、鉛直方向と船釣り用オモリ１０Ｆの軸線Ｃとの角度差（オモリ角度）を常に０度付近に復元させて、抗力と揚力とが少ない状態で水中を降下させることが可能となる。
【００８３】
同図に示す例では、安定化部材１４Ｆは羽形状を有しているが、本発明は羽形状に限定されるものではなく、船釣り用オモリ１０Ｆの重心より上部の投影面積の一次モーメントＭＵを増大させる機能を奏する形状であればよく、例えば羽の枚数等には関係がない。
【００８４】
また、安定化部材１４Ｆは船釣り用オモリ１０Ｆの上部に設けられているので、オモリ部材１０Ｆよりも比重の小さな物性を有する素材（例えば樹脂、アルミニウムなどの軽金属など）を用いることが好ましい。
【００８５】
また比重の小さな素材を用いることによって、船釣り用オモリ１０Ｆの全長を短く形成しつつ、復元力を大きくすることが可能となるので、操業性の良好な船釣り用オモリを提供することが可能となる。
【００８６】
また、安定化部材１４Ｆを羽形状にする場合であって、羽が薄く長い場合には、操業時や待機時等にて力が加わった際に羽形状の部分が曲がってしまったり、折れてしまう可能性がある。したがって、あまり薄い形状にしない、あまり軸線Ｃに対して放射状に細長い羽形状にはしない、塑性変形しにくい素材を選択する、又はゴムなどの曲がっても破損せずに元に戻る素材を選択するなどの配慮を行うとよい。
【００８７】
また、同図に示す例では、吊環２０はオモリ部材１２Ｆに固定されている実施例で示してあるが、本発明はこれに限定されるものではなく、安定化部材１４Ｆに吊環２０が固定されていてもよい。
【００８８】
図８（ａ）及び図８（ｂ）は、本発明に係る船釣り用オモリの第８の実施例である。
【００８９】
同図に示すように、船釣り用オモリ１０Ｇには吊環２０が設けられている。また、船釣り用オモリ１０Ｇには、質量と重力加速度によって水中にて船釣り用オモリ１０Ｇを降下させる力を発生させるためのオモリ部材１２Ｇと、船釣り用オモリ１０Ｇの重心より上部の投影面積の一次モーメントＭＵを大きくさせる機能を有する別体の安定化部材１４Ｇとが設けられている。
【００９０】
オモリ部材１２Ｇと安定化部材１４Ｇとは、吊環軸２０Ａ（軸材）を介して分離しないように結合されている。
【００９１】
同図に示す例では、安定化部材１４Ｇは羽形状を有しており、軸線Ｃに対して４枚の羽が放射状に構成されるようになっている。この安定化部材１４Ｇの働きによって、船釣り用オモリ１０Ｇの重心より上部の投影面積の一次モーメントＭＵと、重心より下部の投影面積の一次モーメントＭＤの比ｋが２．３≦ｋ≦５．０を満たすことが可能となる。
【００９２】
そして、船釣り用オモリ１０Ｇが水中を降下する際に、鉛直方向と船釣り用オモリ１０Ｇの軸線Ｃとの角度差（オモリ角度）を常に０度付近に復元させて、抗力と揚力とが少ない状態で水中を降下させることが可能となる。
【００９３】
同図に示す例では、安定化部材１４Ｇは羽形状を有しているが、本発明は羽形状に限定されるものではなく、船釣り用オモリ１０Ｇの重心より上部の投影面積の一次モーメントＭＵを増大させる機能を奏する形状であればよく、例えば羽の枚数等には関係がない。
【００９４】
また、図９（ａ）及び図９（ｂ）に示すように、羽を設けない形状で安定化部材１４Ｈを構成して、ｋが２．３≦ｋ≦５．０を満たすようにしても本発明の目的を達成することが可能となる。
【００９５】
また、安定化部材１４Ｇは船釣り用オモリ１０Ｇの上部に設けられているので、オモリ部材１０Ｇよりも比重の小さな物性を有する素材（例えば樹脂、アルミニウムなどの軽金属など）を用いることが好ましい。船釣り用オモリ１０Ｇの重心位置を下げることが可能だからである。
【００９６】
また比重の小さな素材を用いることによって、船釣り用オモリ１０Ｇの全長を短く形成しつつ、復元力を大きくすることが可能となるので、操業性の良好な船釣り用オモリを提供することが可能となる。
【００９７】
また、安定化部材１４Ｇを羽形状にする場合であって、羽が薄く長い場合には、操業時や待機時等にて力が加わった際に羽形状の部分が曲がってしまったり、折れてしまう可能性がある。
【００９８】
したがって、あまり薄い形状にしない、あまり軸線Ｃに対して放射状に細長い羽形状にはしない、曲がりにくい素材を選択する、又はゴムなどの曲がっても破損せずに元に戻る素材を選択するなどの配慮を行うとよい。
【００９９】
図８及び図９に示す実施例では、安定化部材１４Ｇ又は安定化部材１４Ｈを吊環２０に結合する例で示したが、本発明はこれに限定されるものではない。したがって、安定化部材１４Ｇ又は安定化部材１４Ｈを、吊環２０近傍のテグス糸に結合するようにしても、以下のように本発明の目的を達成することが可能となる場合もある。
【０１００】
テグス糸に結合された安定化部材は、降下中に姿勢に応じた抗力又は揚力を発生する。テグス糸に結合された安定化部材は、テグス糸を介して船釣り用オモリに接続されているので、船釣り用オモリには、軸線Ｃを降下方向に戻す方向に復元力が働く。したがって、船釣り用オモリ自体には復元力がない場合であっても、船釣り用オモリに対して復元力を発生させることが可能となる場合がある。
【０１０１】
図１０（ａ）及び図１０（ｂ）は、本発明に係る船釣り用オモリの第１０の実施例である。
同図に示す実施例は、図７に示した実施例において、羽を設けない形状で安定化部材１４Ｊを構成して、ｋが２．３≦ｋ≦５．０を満たすようにした実施の形態である。
【０１０２】
同図に示すように、船釣り用オモリ１０Ｊには吊環２０が設けられている。また、船釣り用オモリ１０Ｊには、質量と重力加速度によって水中にて船釣り用オモリ１０Ｊを降下させる力を発生させるためのオモリ部材１２Ｊと、船釣り用オモリ１０Ｊの重心より上部の投影面積の一次モーメントＭＵを大きくさせる機能を有する別体の安定化部材１４Ｊと、オモリ部材１２Ｊと安定化部材１４Ｊとが分離しないように結合する螺子部３０が設けられている。
【０１０３】
なお同図では、螺子部３０を設けることによってオモリ部材１２Ｊと安定化部材１４Ｊとを螺合して双方が分離しないように結合する実施例を示しているが、螺子、ピン等の結合部材によって結合されていてもよいし、勘合によって結合されていてもよい。また、安定化部材１４Ｊは、船釣り用オモリ１０Ｊに対するキャップ形状のものであってもよい。
【０１０４】
同図に示す例では、安定化部材１４Ｊの働きによって、船釣り用オモリ１０Ｊの重心より上部の投影面積の一次モーメントＭＵと、重心より下部の投影面積の一次モーメントＭＤの比ｋを好ましい値に設定することが可能となる。
【０１０５】
そして、船釣り用オモリ１０Ｊが水中を降下する際に、鉛直方向と船釣り用オモリ１０Ｊの軸線Ｃとの角度差（オモリ角度）を常に０度付近に復元させて、抗力と揚力とが少ない状態で水中を降下させることが可能となる。
【０１０６】
同図に示す実施例では羽を設けていないために船釣り用オモリ１０Ｊの形状を、抗力の少ない流線型に形成することが可能であるという利点がある。例えば、完全な流線型とはいえない図１７に示す胴突きオモリの形状を有する場合であっても、オモリ角度が０°〜１０°の範囲では抗力が０．２５（Ｎ）〜０．３７（Ｎ）程度と小さい。このように、安定化部材１４Ｊの部分を、軸線Ｃに対して略線対称な形状としても本発明の目的を達成することが可能である。
【０１０７】
上記のように、所定のｋの値を得るために安定化部材１４Ｊに比重の小さな素材を用いることにより、船釣り用オモリ１０Ｊの比重が多少小さくなった場合であっても、抗力が少ないことによって船釣り用オモリ１０Ｊの降下速度を上げることが可能となり、短時間に所定の深度まで降下させることが可能となる。
【０１０８】
また、安定化部材１４Ｊをオモリ部材１２Ｊと別体に構成することによって、降下速度が速く降下時間の短い船釣り用オモリを安価にて供給することが可能となる。
【０１０９】
図１１の図表に、各種船釣り用オモリのＭＵ値とＭＤ値との算出結果と、重心周りのモーメントが０となる角度等の算出結果を示す。
【０１１０】
同図表の最下段に示すように、ＡＳ型の船釣り用オモリの上部に羽を設けた例で、ＭＵ／ＭＤ＝３．１の場合には、重心周りのモーメントが０となる角度が０°となっている。したがって、この場合に船釣り用オモリは、常にオモリ角度が０°になるように復元しながら水中を降下することが予想される。
【０１１１】
図１２に、ｋ＝２．５の場合のＡＳ羽付の型のオモリについて流体解析を行った際の、オモリ角度と抗力、揚力、重心周りのモーメントの調査結果を示す。同図に示すように、オモリ角度が０度から微小角増大した場合には、重心周りのモーメントが負の値（オモリの傾きを復元する方向に回転モーメントが働く）を示していることが読み取れる。この場合に船釣り用オモリは、常にオモリ角度が０°になるように復元しながら水中を降下することが予想される。したがって、抗力が小さい状態で落下するものと予想される。
【０１１２】
図１３に、ＡＳ羽付のオモリを実際に制作して、オモリの降下実験を行った結果の「経過時間−瞬間速度線図」を示す。
なお、オモリの降下実験は、図１５及び図１６と同一の条件で行った結果である。
【０１１３】
同図に示すように、ＡＳ羽付のオモリは、水中に投入直後は瞬間速度が約６７０（ｃｍ／ｓ）に達しているとともに速度の変動がなく安定して降下していることが読み取れる。
【０１１４】
更に、降下時間は２５．７（秒）であり、従来の最良であったＡＳ型と比較して約６％短縮されている。これは実験用の太いテグスを使用した場合であり、通常の細いテグスを使用した場合、更にその差が大きくなるのは明白である。
【０１１５】
図１４に、樹脂製の１／２スケール模型による降下軌跡観察実験の結果を示す。
ＡＳ型並びにＡＳ羽付のオモリの模型の素材は、観察を容易にするために降下速度を落とす目的で比重１．２の光硬化樹脂を用いている。降下軌跡観察実験に用いた水槽の側面はガラス製であり、模型の降下軌跡の観察を行うことが容易となっている。なお、同図に示す数値の単位は（ｃｍ）である。
【０１１６】
ＡＳ型の模型の重心周りのモーメントが０になる角度は４５°であり、そのときの抗力は６．８（Ｎ）である。
一方のＡＳ羽付の模型の重心周りのモーメントが０になる角度は０°であり、そのときの抗力は１．４（Ｎ）である。
【０１１７】
樹脂製の模型による降下軌跡観察実験の結果、ＡＳ型の模型は、垂直の状態で降下開始後、少し鉛直方向に降下した後に、約４５°傾き、そこから傾きを増減させながら降下した。
【０１１８】
一方のＡＳ羽付の模型は、少し振れながらほぼまっすぐに降下した。この観察結果は、復元性のシミュレーション結果とよく合っており、推察が正しいことが確かめられた。
【０１１９】
【発明の効果】
以上、本発明に係る船釣り用オモリによれば、船釣り用オモリの軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たす形状としたので、オモリの降下時において、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【０１２０】
また他の発明によれば、船釣り用オモリの軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの上部を羽形状に構成したので、オモリの全長を短くすることが可能であるとともにオモリの降下時において、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【０１２１】
また他の発明の形態によれば、船釣り用オモリの軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの下部にはオモリ部材を備え、前記オモリ部材とは別体の安定化部材を船釣り用オモリの上部に設けたので、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【０１２２】
また他の発明の形態によれば、船釣り用オモリの軸線に対して平行であって、互いに直角な２つの投影面において、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たし、船釣り用オモリの下部にはオモリ部材を備え、前記オモリ部材とは別体の安定化部材を軸材を介して接続するようにしたので、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【０１２３】
また従来のオモリの降下速度で漁を行ううえで不具合が生じていない場合には、本発明に係る魚釣り用オモリを用いることによって、オモリの重さを従来のオモリと比較して軽くすることが可能となり、操業時の作業性を向上させることが可能となる。
【０１２４】
また本発明に係る安定化部材によれば、安定化部材に、オモリに装着する装着部を備え、オモリの落下方向とオモリの軸線とが傾いた際に揚力又は抗力を発生する形状を備えているので、安定化部材をオモリに装着して水中を降下する際に、本来オモリが降下するべき方向である鉛直方向と、オモリの軸線との角度差（オモリ角度）が、常に０度付近に復元するような復元モーメントを発生させることが可能となる。また、オモリが水中を降下する際の落下姿勢を抗力の小さい向きに安定させることが可能となる。
【０１２５】
したがって本発明に係る船釣り用オモリ並びに安定化部材によれば、オモリを抗力の少ない姿勢で安定して水中を降下せることが可能となる。
【０１２６】
また本発明に係る船釣り用オモリ並びに安定化部材によれば、オモリが水中を降下する際の姿勢を安定させて蛇行を防ぐことによって、オモリの走行距離を短くし、短時間に所定の深度まで降下させることが可能となる。
【０１２７】
また本発明に係る船釣り用オモリ並びに安定化部材によれば、オモリが水中を降下する際の落下姿勢を抗力の小さい向きに安定させることが可能となり、オモリを短時間に所定の深度まで降下させることが可能となる。
【０１２８】
また本発明に係る船釣り用オモリ並びに安定化部材によれば、潮流に流されにくく、狙った場所に短時間に降下させ易い船釣り用オモリを提供することが可能となる。これによって、漁獲効率を向上させることが可能となる。
【０１２９】
本発明で示したように、船釣り用オモリの重心より上部の投影面積の一次モーメントＭＵと、重心より下部の投影面積の一次モーメントＭＤの比をｋ＝ＭＵ／ＭＤとした場合に、２．３≦ｋ≦５．０を満たすような形状設計を行うことによって、比較的短時間で最適な船釣り用オモリの形状設計が可能となる。
【図面の簡単な説明】
【図１】（ａ）は、本発明に係る船釣り用オモリ１０の平面図であり、（ｂ）は船釣り用オモリ１０の正面図である。
【図２】（ａ）は、本発明に係る船釣り用オモリ１０Ａの平面図であり、（ｂ）は船釣り用オモリ１０Ａの正面図である。
【図３】（ａ）は、本発明に係る船釣り用オモリ１０Ｂの平面図であり、（ｂ）は船釣り用オモリ１０Ｂの正面図である。
【図４】（ａ）は、本発明に係る船釣り用オモリ１０Ｃの平面図であり、（ｂ）は船釣り用オモリ１０Ｃの正面図である。
【図５】（ａ）は、本発明に係る船釣り用オモリ１０Ｄの平面図であり、（ｂ）は船釣り用オモリ１０Ｄの正面図である。
【図６】（ａ）は、本発明に係る船釣り用オモリ１０Ｅの平面図であり、（ｂ）は船釣り用オモリ１０Ｅの正面図である。
【図７】（ａ）は、本発明に係る船釣り用オモリ１０Ｆの平面図であり、（ｂ）は船釣り用オモリ１０Ｆの正面図である。
【図８】（ａ）は、本発明に係る船釣り用オモリ１０Ｇの平面図であり、（ｂ）は船釣り用オモリ１０Ｇの正面図である。
【図９】（ａ）は、本発明に係る船釣り用オモリ１０Ｈの平面図であり、（ｂ）は船釣り用オモリ１０Ｈの正面図である。
【図１０】（ａ）は、本発明に係る船釣り用オモリ１０Ｊの平面図であり、（ｂ）は船釣り用オモリ１０Ｊの正面図である。
【図１１】各種船釣り用オモリのＭＵ値とＭＤ値との算出結果と、重心周りのモーメントが０となる角度等の算出結果を示す図表である。
【図１２】本発明に係るＡＳ羽付の型のオモリについて流体解析を行った結果を示す図である。
【図１３】ＡＳ羽付のオモリを実際に制作して、オモリの降下実験を行った結果の「経過時間−瞬間速度線図」を示す図である。
【図１４】樹脂製の模型による降下軌跡観察実験の結果を示す図である。
【図１５】現在市販されている胴突き型のオモリについて測定した「経過時間−瞬間速度線図」を示す図である。
【図１６】現在市販されているＡＳ型のオモリについて測定した「経過時間−瞬間速度線図」を示す図である。
【図１７】現在市販されている胴突き型のオモリについて流体解析を行った結果を示す図である。
【図１８】現在市販されているＡＳ型のオモリについて流体解析を行った結果を示す図である。
【符号の説明】
１０…船釣り用オモリ
１２…オモリ部材
１４…安定化部材
２０…吊環
２２…羽
２４…ピン
２６…螺子
２８…勘合部
３０…螺子部
【図１】
2004290096.tif 000005
【図２】
2004290096.tif 000006
【図３】
2004290096.tif 000007
【図４】
2004290096.tif 000008
【図５】
2004290096.tif 000009
【図６】
2004290096.tif 000010
【図７】
2004290096.tif 000011
【図８】
2004290096.tif 000012
【図９】
2004290096.tif 000013
【図１０】
2004290096.tif 000014
【図１１】
2004290096.tif 000015
【図１２】
2004290096.tif 000016
【図１３】
2004290096.tif 000017
【図１４】
2004290096.tif 000018
【図１５】
2004290096.tif 000019
【図１６】
2004290096.tif 000020
【図１７】
2004290096.tif 000021
【図１８】
2004290096.tif 000022